(57)【要約】【課題】本発明は空気を注入したときに潜水者の周囲を潜水者の体の形状に沿って包み込み、かつ、大きな浮力を有する浮き袋の構造を提供することを目的とする。【解決手段】気密性を有しかつ繊維で補強された略同一形状の内側生地１と外側生地２の周辺を封着し、当該内側生地と外側生地の間に空気を入れて使用する水中浮力調整器において、内側生地１の一つの接続箇所ａから外側生地２の複数の接続箇所ｂを結んだ複数の吊部材３を形成したことを特徴とする水中浮力調整器浮き袋。Ａ‥浮き袋、１‥内側生地、２‥外側生地、３‥吊部材。【選択図】図４
2007191068.tif 000002
【特許請求の範囲】
【請求項１】
気密性を有しかつ繊維で補強された略同一形状の内側生地１と外側生地２の周辺を封着し、当該内側生地と外側生地の間に空気を入れて使用する水中浮力調整器において、内側生地１の一つの接続箇所ａから外側生地２の複数の接続箇所ｂを結んだ複数の吊部材３を形成したことを特徴とする水中浮力調整器浮き袋。
【請求項２】
内側生地１の接続箇所ａが、ほぼ等間隔にて備えられた請求項１記載の水中浮力調整器浮き袋。
【請求項３】
外側生地２の複数の接続箇所ｂが、ほぼ等間隔にて備えられた請求項１又は２記載の水中浮力調整器浮き袋。
【請求項４】
各吊部材３の長さが、ほぼ等しい請求項１乃至３いずれか１に記載の水中浮力調整器浮き袋。
【請求項５】
気密性を有しかつ繊維で補強された略同一形状の内側生地１と外側生地２の周辺を封着し、当該内側生地と外側生地の間に空気を入れて使用する水中浮力調整器において、両生地間に複数の吊部材３を形成すると共に、外側生地２の一部に伸縮性と気密性を有する生地４を使用したことを特徴とする水中浮力調整器浮き袋。
【請求項６】
伸縮性と気密性を有する生地４が、外側生地２の吊部材３、３間に存在する請求項５記載の水中浮力調整器浮き袋。
【請求項７】
各吊部材３の長さが、ほぼ等しい請求項５又は６記載の水中浮力調整器浮き袋。
【請求項８】
気密性を有しかつ繊維で補強された略同一形状の内側生地１と外側生地２の周辺を封着し、当該内側生地と外側生地の間に空気を入れて使用する水中浮力調整器において、両生地間に複数の吊部材３を形成すると共に、内側生地１、１同士の一部を封着して皺部５を設けたことを特徴とする水中浮力調整器浮き袋。
【請求項９】
皺部５が、内側生地２の吊部材３、３間に存在する請求項８記載の水中浮力調整器浮き袋。
【請求項１０】
各吊部材３の長さが、ほぼ等しい請求項８又は９記載の水中浮力調整器浮き袋。
【請求項１１】
内側生地１と外側生地２を封着した後に、内側生地１の一部を封着して皺部５を形成した請求項８乃至１０いずれか１に記載の水中浮力調整器浮き袋。
【発明の詳細な説明】
【技術分野】
【０００１】
本発明は、主としてスクーバダイビングに使用する水中浮力調整器の浮き袋（以下、問題のない限り浮き袋という）の構造に関し、特に空気を入れた時に浮力が大きく、かつ、潜水者や被浮上体にフィットするように浮き袋の形状を得ることができる技術に関する発明である。
【背景技術】
【０００２】
スクーバダイビングに使用する浮き袋の構造にあって、潜水者の周囲を包み込む形状の浮き袋を実現するために、補強の目的とともに２枚の生地を中間で直接固定部を設け折り曲げる方法等が提案されている（特許文献１）。しかしながら、この構造にあっては、２枚の生地を直接接続するために吊部材を用いた浮き袋と比較すると大きな浮力を得にくい欠点があった。
【０００３】
【特許文献１】実開昭６２−１７０３９７号公報
【０００４】
一方、吊部材を設けると浮き袋に空気を注入した時に潜水者の背中側に真っ直ぐに膨らんでしまう欠点があった。このため、浮き袋をハーネスにて拘束して折り曲げ、２枚の生地を結ぶ３カ所以上の連続した吊部材を併用した提案もある（特許文献２）が、浮き袋単独で希望した形状に曲げることは考慮していない。
【０００５】
【特許文献２】米国特許５５２２６７９号公報
【０００６】
浮き袋９の一般的な形状を図１に示す。水中浮力調整器は、浮き袋９と共に呼吸用圧縮空気タンク６の空気を浮力の調整用に用いるためのホース７と操作バルブ８が取り付けられており、この操作バルブ８によって浮き袋の空気の量を調整しその結果浮力が調整できる。この浮き袋９はジャケット型をしており、浮力が大きくかつ潜水者の胴周り部分１０が空気を注入した時に潜水者の周囲を包み込む形状で膨らむことが望ましいが、浮力の点でそれほど大きなものとない得ないという欠点があった。
【０００７】
一方、吊部材３を設けた浮き袋の動作原理を図２に示す。しかるに、浮き袋を構成する内側及び外側の生地１、２は柔軟性があるので湾曲しやすい性質がある。従って、浮き袋内に空気を注入した時の両側の生地１、２の曲率は引張り力と生地に垂直に働く圧力で決定される。ここで言う曲率は生地単位長さ巾で変化する生地の曲がり角度のことである。浮き袋内部の圧力はパスカルの原理から一定であるから、圧力を受ける内側生地１と外側生地２に働く引張り力１１はほぼ同一で、圧力に厚さの１／２をかけた値となる。この結果、吊部材３近傍以外の全ての生地は同一の曲率、即ち同一半径１２になる方向に変形していく。この結果、図２に示すように単純な構造の吊部材の場合は、空気を入れると浮き袋全体の形状は真直ぐな長方形になるように膨らんでしまい、潜水者の胴回り部分に巻き付くように膨らむことはない。
【発明の開示】
【発明が解決しようとする課題】
【０００８】
上記の浮き袋が潜水者の周囲を包み込む形状に膨らむ場合には、潜水者の姿勢が変化しても潜水者に対する浮力のモーメントが変化しにくく、快適な潜水作業と水面休息が可能となる。又、浮力の大きな浮き袋は波の大きな時でも水面休息の潜水者のロに波が当たらず非常に安全性が高い。
【０００９】
本発明は空気を注入したときに潜水者の周囲を潜水者の体の形状に沿って包み込み、かつ、大きな浮力を有する浮き袋の構造を提供することを目的とする。
【課題を解決するための手段】
【００１０】
本発明の第１の要旨は、気密性を有し、かつ繊維で補強された略同一形状の内側生地１と外側生地２の周辺を封着し、当該２枚の生地の間に空気を入れて使用する水中浮力調整器の浮き袋において、内側生地１の一つの接続箇所ａから外側生地（２）の複数の接続箇所ｂを結んだ複数の吊部材３を形成したことを特徴とする浮き袋に係るものである。
【００１１】
本発明の第２の要旨は、気密性を有し、かつ繊維で補強された略同一形状の内側生地１と外側生地２の周辺を封着し、当該２枚の生地の間に空気を入れて使用する水中浮力調整器の浮き袋において、両生地間に複数の吊部材３を形成すると共に、外側生地２の一部に伸縮性と気密性を有する生地４を使用したことを特徴とする浮き袋に係るものである。
【００１２】
本発明の第３の要旨は、気密性を有し、かつ繊維で補強された略同一形状の内側生地１と外側生地２の周辺を封着し、当該２枚の生地の間に空気を入れて使用する水中浮力調整器の浮き袋において、両生地間に複数の吊部材３を形成すると共に、内側生地１、１同士の一部を封着して皺部５を設けたことを特徴とする浮き袋に係るものである。
【発明の効果】
【００１３】
本発明の浮き袋によって潜水者の周囲を包み込む形状に膨らむ浮き袋を製造することが可能になる。潜水者の周囲にバランスよく浮力を配置することが可能であり、潜水者の姿勢が変化しても潜水者に対する浮力のモーメントが変化しにくく、快適な潜水作業と水面休息が可能となる。かつ、吊部材の長さも適正に設計できるので浮き袋の厚さが大きくなり浮力の大きな浮き袋となる。この結果、波の大きな時でも水面休息の潜水者の口に波があたらず、非常に安全性の高い浮力調整器となる。
【発明を実施するための最良の形態】
【００１４】
本発明における浮き袋は、水中で使用することから強度の要求が高く、一般にナイロン等の生地にウレタン等の気密部材を貼り合わせた、柔軟性はあるが伸縮性の殆どない２枚の生地の周囲を高周波ウエルダ−にて貼り合わせて製造される。即ち、高周波ウエルダーは加工するときの貼り合わせ部の圧力が均一になるように内外の生地を平面プレスで押して貼り合わせ加工するものである。この貼り合わせ面が不均一になると、貼り合わせ部の気密性能と接続部の引張り強度が低下するので、２枚の生地の周囲貼り合わせ部を同一形状にして平面上でプレスして製造するのがよい。
【００１５】
さて、本発明の第１は片側の生地を細かく分割して膨らませる構造で湾曲を発生させる構造である。具体的には、内側生地１の接続箇所がほぼ等間隔にて備えられ、外側生地１の複数の接続箇所がほぼ等間隔にて備えられ、更に、各吊部材３の長さがほぼ等しい浮き袋である。
【００１６】
図３及び図４は本発明の第１（請求項１）の空気を入れる前の浮き袋Ａと、空気を入れた後の浮き袋Ａの断面形状である。浮き袋Ａの内側生地１の１カ所から外側生地２の２カ所に接続した吊部材３の構造を３カ所に設けている。ａ、ｂは内側生地１及び外側生地２と吊部材３の接続箇所を示す。
【００１７】
この浮き袋Ａに空気を入れて行くと、従来の構造と同一にパスカルの原理から上下生地１、２に同等の引張り力がほぼ均等に配分され、曲がり始めの内側生地１と外側生地２は吊部材３以外はほとんど同じ曲率で曲がる傾向がある。ほとんど同じ曲率とはほとんど同じ半径１２に曲がると同一の意味である。分割数が小さく吊部材３の間隔が大きい内側生地１の方が吊部材３の取り付け部の折れ角度が大きくなるので、浮き袋Ａは図４に示すように、分割数の少ない内側生地１を内側に湾曲する。実際は大変形となり、膨れの大きい内側生地１側の引張り力の方が大きくなるが変形の基本はこの説明の近似である。
【００１８】
張力が発生しない吊部材を設けて請求項１の構成を変更し、外側生地２の２カ所以上吊部材３の接続部から内側生地１への別場所への吊部材を有した浮き袋を作成した場合も本発明の第１と同一構造に含まれることは言うまでもない。
【００１９】
尚、特許文献２に示される３カ所以上の連続した吊部材を用いた場合、吊り構造の両端で曲がりが得られるが、ハーネスでの拘束による別の拘束方法等を組み合わせないと全体の曲がりを設計することは非常に困難であり、浮き袋を自在に曲げる本発明とは別の発明である。
【００２０】
本発明の第２は、浮き袋Ｂの内側生地１と外側生地２の伸縮性を異ならせたものであり、具体的には、外側生地２の一部を伸縮性と気密性のある生地４とし、内側生地１に対して伸縮性を付与する構造として湾曲を発生させる構造である。
【００２１】
図５及び図６は本発明の第２（請求項５）の空気を入れる前の浮き袋Ｂと、空気を入れた後の浮き袋Ｂの断面形状である。浮き袋Ｂは内側生地１と外側生地２と吊部材３とで構成される。かかる構造にあって、外側生地２の吊部材３、３の中間部に、伸縮性と気密性を有する生地４を設ける。
【００２２】
この浮き袋Ｂに空気を入れて行くと、前例と同様に内外の生地１、２に同等の引張り力が働く。しかるに、伸縮性、気密性を有する生地４を吊部材３の間に溶着したことによりこの生地４の伸縮分だけ外側生地２は吊部材４の間隔が伸び、内側生地１より余分に伸びて長くなる。この結果、浮き袋Ｂは内側生地１側を内側にした湾曲形状に変形することとなる。
【００２３】
本発明の第３は、浮き袋Ｃの内側生地１を外側生地２よりも寸法を詰めておくものであり、具体的には、内側生地１、１同士の一部を封着して皺部５を設けて湾曲を発生させる構造である。この皺部５は吊部材３の間に存在させ、皺部５の形成は内側生地１と外側生地２を封着した後に、内側生地１の一部を封着して皺部５を形成するのが好適である。
【００２４】
図７及び図８は本発明の第３（請求項８）の空気を入れる前の浮き袋Ｃと、空気を入れた後の浮き袋Ｃの断面形状である。浮き袋Ｃは内側生地１と外側生地２と吊部材３とで構成される。かかる構造にあって、内側生地１における吊部材３、３の中間部分にその一部を溶着した皺部５を設ける。皺部５を設けた内側生地１は外側生地より吊りの間隔が短くなっている。
【００２５】
この浮き袋Ｃに空気を入れて行くと、皺部５を設けた内側生地１が外側生地２より吊部材３の間隔が短いことから、浮き袋Ｃは図８に示すように内側生地側を内側にして湾曲する。
【００２６】
この皺部５の加工は内外の生地１、２を高周波ウエルダー加工にて溶着した後に実施するのがよい。即ち、内外の生地１、２を平面状にしておき、その後皺部５を形成したものである。皺部加工は内側生地１を外に折り返して高周波ウエルダーのプレスに載せれば、平面プレスでの容易な貼り合わせ加工が可能である。尚、内側生地１に予め皺部５を形成した場合には、外側生地２との溶着は難しくなることを回避したものである。
【産業上の利用可能性】
【００２７】
本発明の水中浮力調整器の浮き袋によって潜水者や被浮上体の周囲を包み込む形状に膨らむ浮き袋を製造することを可能とするもので、潜水者や被浮上体の周囲にバランスよく浮力を配置することができ、潜水者にとっては快適な潜水作業と水面休息が可能となる。かつ、吊部材の長さも適正に設計できるので浮き袋の厚さが大きくなり浮力の大きな浮き袋となり、安全性の高い浮力調整器が得られることとなる。
【図面の簡単な説明】
【００２８】
【図１】図１は一般的な水中浮力調整器を示す図である。
【図２】図２は浮き袋の動作原理を示す図である。
【図３】図３は本発明の第１の空気を入れる前の浮き袋Ａの断面形状である。
【図４】図４は本発明の第１の空気を入れた後の浮き袋Ａの断面形状である。
【図５】図５は本発明の第２の空気を入れる前の浮き袋Ｂの断面形状である。
【図６】図６は本発明の第２の空気を入れた後の浮き袋Ｂの断面形状である。
【図７】図７は本発明の第３の空気を入れる前の浮き袋Ｃの断面形状である。
【図８】図８は本発明の第３の空気を入れた後の浮き袋Ｃの断面形状である。
【符号の説明】
【００２９】
Ａ、Ｂ、Ｃ‥浮き袋、
１‥内側生地、
２‥外側生地、
３‥吊部材、
４‥伸縮性と気密性を有する生地、
５‥皺部、
６‥呼吸用圧縮空気タンク、
７‥ホース、
８‥操作バルブ、
１０‥潜水者の胴周り部分。
【図１】
2007191068.tif 000003
【図２】
2007191068.tif 000004
【図３】
2007191068.tif 000005
【図４】
2007191068.tif 000006
【図５】
2007191068.tif 000007
【図６】
2007191068.tif 000008
【図７】
2007191068.tif 000009
【図８】
2007191068.tif 000010